(57)【要約】【課題】 木製の部材のみを組立るだけで、専門的な技術を必要とせず、誰もが簡単に自作できる簡易木製組立ベットを提供することを目的とする。【解決手段】簡単に組み立てできる木製ベットにおいて、所定の木材を主要部品として、一対の二本の足を持つコ字型の縦枠支持部材と、一対の二本の足を持つコ字型の横枠支持部材と、上部に敷く所定の長さに木製板材を切断して形成したスノコからなっており、各部材を嵌めこみ式で組み立て固定できるようになっている簡易木製組立ベットである。【選択図】図１
0003153027.tif 000002
【実用新案登録請求の範囲】
【請求項１】
簡単に組み立てできる木製ベットにおいて、木材を主要部品として、一対の二本の足を持つコ字型の縦枠支持部材と、一対の二本の足を持つコ字型の横枠支持部材と、上部に敷く所定の長さに木製板材を切断して形成したスノコとからなっており、横枠支持部材のコ字型足部に木部の厚さで上部に向けて切り込みを設け、縦枠支持部材のコ字型足部に木部の厚さで下部に向けて切り込みを設け、各部材を嵌めこみ式で組立固定できるようになっていることを特徴とする簡易木製組立ベット。
【請求項２】
組み立て工法で使用する主要部品の木材をとして、厚さ２０ｍｍ〜３５ｍｍの無垢木材、集成材、合板、ＭＤＦであることを特徴とする請求項１に記載の簡易木製組立ベット。
【請求項３】
二本の足を持つコ字型の横枠支持部材は、幅９００ｍｍ〜１５００ｍｍで、横枠支持部材の両足部での長さ２００ｍｍ〜５００ｍｍで、足部の長さで上半分の長さに、木部の厚さの幅で切り込みを入れていることを特徴とする請求項１に記載の簡易木製組立ベット。
【請求項４】
二本の足を持つコ字型の縦枠支持部材は、長さ１５００ｍｍ〜２５００ｍｍで、横枠支持部材の両足部の長さ２００ｍｍ〜５００ｍｍで、足部の長さで、下半分の長さに、木部の厚さの幅で切り込みを入れていることを特徴とする請求項１に記載の簡易木製組立ベット。
【請求項５】
部材を嵌めこみ式の組立固定は、両足部で下部に向けて木部の厚さの幅で切り込みをしている２個の縦枠支持部材に、両足部で上部に向けて木部の厚さの幅で切り込みをしている2個の横枠支持部材を、上面から嵌めこみ、スノコを上部にセットすることを特徴とする請求項１に記載の簡易木製組立ベット。
【請求項６】
部材を嵌めこみ式で組立固定されたベット枠の上部に、セットされたスノコは、木製板をスノコ状に並べて製作されて、上部にマット、畳、茣蓙を敷くことができるようにしていることを特徴とする請求項１に記載の簡易木製組立ベット
【考案の詳細な説明】
【技術分野】
【０００１】
本考案は、木材を加工した各支持部材を嵌めこみ式で組み立て固定できるようになっている簡易木製組立ベットの構造と組み立て方法である。
に関する。
【背景技術】
【０００２】
従来、簡易木製組立ベットの構造と組み立て方法は、住宅等の建物の壁面等に設けて公知となっており、この簡易組み立てベットは木製や金属製などの棚受部材に棚板を載せるように構成されており、木材で構成されているベットは、職人の手により装飾が施されて専門的に組立られて高価なものであったり、鋼板を板金加工して簡単な構造に構成したものであった（特許文献１〜３参照）。
【先行技術文献】
【特許文献】
【０００３】
【特許文献１】特開平０８-３０８６８９
【特許文献２】特開平０９-０８４６６３
【特許文献３】実  登３０２１９７２
【考案の概要】
【考案が解決しようとする課題】
【０００４】
このような従来の木製の組み立てベットは、当然、素人の手により製作することは難しく、簡単な木製棚は強度が不足したり、金属性の棚の場合には木製の外構建物にマッチしなかったりしていた。そこで素人でも簡単に組立られ、外観が綺麗で十分な強度を有し、コストがかからず、住宅に設置しても違和感の生じない木製のベットが望まれるところとなるので、本考案は、木製の部材のみを組立るだけで、専門的な技術を必要とせず、誰もが簡単に自作できる簡易木製組立ベットを提供することを目的とする。
【課題を解決するための手段】
【０００５】
以上の課題を解決するために次のような手段を用いる。
簡単に組み立てできる木製ベットにおいて、規格木材を主要部品として、一対の二本の足を持つコ字型の縦枠支持部材と、一対の二本の足を持つコ字型の横枠支持部材と、上部に敷く所定の長さに木製板材を切断して形成したスノコからなっており、縦枠支持部材のコ字型足部に木部の厚さで下部に向けて切り込みを設け、横枠支持部材のコ字型足部に木部の厚さで上部に向けて切り込みを設け、各部材を嵌めこみ式で組み立て固定できるようになっている簡易木製組立ベットである。
【０００６】
組み立て工法で使用する主要部品の所定の木材をとして、厚さ２５ｍｍ〜３５ｍｍの無垢木材、集成材、合板、ＭＤＦである。好ましくは、無垢木材であって、ヒノキ、ひば、杉を使用することである。
二本の足を持つコ字型の縦枠支持部材は、長さ１５００ｍｍ〜２５００ｍｍの縦枠支持部材のコ字型の長さ３００ｍｍ〜５００ｍｍの両足部で下部に向けて、足部の長さで下半分の長さに、木部の厚さの幅で切り込みを入れている。好ましくは長さ９００ｍｍ〜１２００ｍｍの縦枠支持部材のコ字型の長さ３５０ｍｍ〜４５０ｍｍである。
【０００７】
１５００ｍｍ〜２５００ｍｍ
二本の足を持つコ字型の横枠支持部材は、長さ９００ｍｍ〜１５００ｍｍの横枠支持部材のコ字型の長さ３００ｍｍ〜５００ｍｍの両足部で下部から、足部の長さで、上半分の長さに、木部の厚さの幅で切り込みを入れている。
支持部材を嵌めこみ式で組み立て固定は、両足部で上部に向けて木部の厚さの幅で切り込みをしている２個の横枠支持部材に、両足部で下部に向けて木部の厚さの幅で切り込みをしている2個の縦枠支持部材を、上面から嵌めこみ、スノコを上部にセットする簡易木製組立ベットである。
【０００８】
部材を嵌めこみ式で組み立て固定されたベット枠の上部に、セットされたスノコは、木製板をスノコ状に並べて製作されて、上部にマット、畳、茣蓙を敷くことができるようにしている簡易木製組立ベットである。とくに寝台ベットの用途とする場合には、畳、茣蓙が好ましい。特に野外で使用する場合には茣蓙も使用される。
所定の木材を主要部品として、取付部材、支持部材、棚部材をそれぞれ所定の長さに板材を切断して形成し、取付部材を壁面に設置間隔を開けて、各部材を取付固定したものである。
【考案の効果】
【０００９】
本考案は以上の如く構成したので、次のような効果を奏する。組立材料が入手し易くコストも低く抑えられ、所望長さに切断して、簡単な加工を施すだけでよく、その木材の組立も簡単に行えて、木製で十分な強度を有する組み立てベットを専門の業者によらずとも一般の個人でも形成することが可能になり、出来上がりが綺麗で住宅等の建物内に設置しても調和する組み立てベットを得ることができる。
【図面の簡単な説明】
【００１０】
【図１】簡易木製組立式ベッドの全体斜視図
【図２】１−Ａ  組立式脚部上下部斜視図  １−Ｂ  組立式脚部縦部斜視部
【図３】簡易木製組立式ベッドの組込み部の斜視図
【図４】簡易木製組立式ベッドすのこ部上面図
【図５】簡易木製組立式ベッドに使用するダボ材（ａ図）、ビス釘（ｂ図）        釘(ｃ図)    畳（ｄ図）
【図６】簡易木製組立式ベッドの完成図
【考案を実施するための形態】
【００１１】
このように簡単に組み立てできる木製ベットにおいて、所定の木材を主要部品として、一対の二本の足を持つコ字型の縦枠支持部材と、一対の二本の足を持つコ字型の横枠支持部材と、上部に敷く所定の長さに木製板材を切断して形成したスノコからなっており、縦枠支持部材のコ字型足部に木部の厚さで下部に向けて切り込みを設け、横枠支持部材のコ字型足部に木部の厚さで上部に向けて切り込みを設け、各部材を嵌めこみ式で組立固定できるようになっている。
【実施例１】
【００１２】
次に、本発明の実施例を添付の図面により説明すると、図１は本発明の木製ベッドの構成を示す斜視図、図２は部材の組合せを示す木製ベッドの斜視図、図３は他の木製ベッドの組み立てを示す斜視図、図４は木製ベッドに付加する、すのこの組立の斜視図である。図５は組立に使用する部品類である。図６は簡易木製組立式ベッドの完成図である。
【００１３】
前記部材はヒノキ材を使用した。部材１-Ａは、脚部１として厚さ２５ｍｍで巾寸法１２０ｍｍに長さ３５０ｍｍで切断して、２５ｍｍ巾にて下から上へ長さ寸法３５０ｍｍの中心点１７５ｍｍまで切り欠きを行った。
横材６を９２０ｍｍ長さ切断したものを、単部にダボ穴加工を行い、接着剤併用にて直径６ｍｍの長さ４０ｍｍのダボ材を挿入して組み込む。すのこ受け材を厚み２５ｍｍで巾５０ｍｍを９７０ｍｍに切断して形成した物を、上面より５０ｍｍの位置で釘打ち機にて止めた。釘の寸法はビスネイラー３２ｍｍを使用して止めた。
【００１４】
前記部材１-Ｂは脚部２として厚さ２５ｍｍで巾寸法１２０ｍｍに長さ３５０ｍｍで切断して、２５ｍｍ巾にて上から下へ長さ寸法３５０ｍｍの中心点１７５ｍｍまで切り欠きを行った。
縦材７を１９３０ｍｍ長さ切断したものを、単部にダボ穴加工を行い、接着剤併用にて直径６ｍｍの長さ４０ｍｍのダボ材を挿入して組み込む。すのこ受け材を厚み２５ｍｍで巾５０ｍｍを１９８０ｍｍに切断して、上面より９０ｍｍの位置で釘打ち機にて止めた。釘の寸法はビスネイラー３２ｍｍで止めた。
【００１５】
図３として１-Ａと１-Ｂを接合する９のダボ材直径６ｍｍ長さ４０ｍｍを入れ込み、1-Ａと１-Ｂを持ち上げた時に落下しない。図４においては厚さ１２ｍｍで８５ｍｍ巾、長さ４９５ｍｍを１０枚１５ｍｍの隙間を置いて、角材厚み３０ｍｍで巾４５ｍｍ、長さ９７０ｍｍに丸釘にて、２箇所止めを行って１枚のすのこに作り上げた。角材にすのこ板を取り付け時は、すのこ板両端より７０ｍｍ空けて釘打ちを行った
【００１６】
図１において、本発明のひのき製木製ベッドの横枠図２（1-Ａ）は厚み２５ｍｍで巾１２０ｍｍで長さ１０２０ｍｍと縦枠図２（１-Ｂ）は厚み２５ｍｍで、巾１２０ｍｍで、長さ２０３０ｍｍとなった、これらの1-Ａと１-Ｂを脚部1の厚み２５ｍｍ、巾１２０ｍｍ、長さ３５０ｍｍのものを、巾寸法の中心から２５ｍｍの切り欠きを行い、その切り欠きを上方向に寸法の１/２の長さまで行った。
【００１７】
脚部２の厚み２５ｍｍ、巾１２０ｍｍ、長さ３５０ｍｍのものを、巾寸法の中心から２５ｍｍの切り欠きを行い、その切り欠きを下方向に寸法の１/２の長さまで行った。図３は1-Ｂを下に置き、1-Ａを上から脚部組合せ図３のように組み合わせた。
【００１８】
図４のすのこを、すのこ受け桟の上に４枚乗せて完成した。
ひのき材を使用していたので、木の香りが漂い自然の潤いが得られた。床材にすのこを取り入れていたので、風の道が出来て害虫などの発生を押さえることが出来た。身体の体温調整も有効に働く。重量に関しても１５Ｋｇしかなく軽量であった。
【実施例２】
【００１９】
材料をひのき材から杉材にて、簡易木製組立式ベッドを作成した。前記部材１-Ａは、脚部１として厚さ２５ｍｍで巾寸法１２０ｍｍに長さ３５０ｍｍで切断して、２５ｍｍ巾にて下から上へ長さ寸法３５０ｍｍの中心点１７５ｍｍまで切り欠きを行った。横材６を９２０ｍｍ長さ切断したものを、単部にダボ穴加工を行い、接着剤併用にて直径６ｍｍの長さ４０ｍｍのダボ材を挿入して組み込んだ。すのこ受け材を厚み２５ｍｍで巾５０ｍｍを９７０ｍｍに切断して形成した物を、上面より５０ｍｍの位置で釘打ち機にて止めた。釘の寸法はビスネイラー３２ｍｍを使用して止めた。
【００２０】
前記部材１-Ｂは脚部２として厚さ２５ｍｍで巾寸法１２０ｍｍに長さ３５０ｍｍで切断して、２５ｍｍ巾にて上から下へ長さ寸法３５０ｍｍの中心点１７５ｍｍまで切り欠きを行った。縦材７を１９３０ｍｍ長さ切断したものを、単部にダボ穴加工を行って、接着剤併用にて直径６ｍｍの長さ４０ｍｍのダボ材を挿入して組み込む。すのこ受け材を厚み２５ｍｍで巾５０ｍｍを１９８０ｍｍに切断して、上面より９０ｍｍの位置で釘打ち機にて止めた。釘の寸法はビスネイラー３２ｍｍで止めた。
【００２１】
図３として１-Ａと１-Ｂを接合する９のダボ材直径６ｍｍ長さ４０ｍｍを入れ込み、1-Ａと１-Ｂを持ち上げた時に落下しない。図４においては厚さ１２ｍｍで８５ｍｍ巾、長さ４９５ｍｍを１０枚１５ｍｍの隙間を置いて、角材厚み３０ｍｍで巾４５ｍｍ、長さ９７０ｍｍに丸釘にて、２箇所止めを行い１枚のすのこに作り上げた。角材にすのこ板を取り付け時は、すのこ板両端より７０ｍｍ空けて釘打ちを行った
【００２２】
図１において、本発明の杉製木製ベッドの横枠図２（1-Ａ）は厚み２５ｍｍで巾１２０ｍｍで長さ１０２０ｍｍと縦枠図２（１-Ｂ）は厚み２５ｍｍで巾１２０ｍｍで長さ２０３０ｍｍとなった、これらの1-Ａと１-Ｂを脚部1の厚み２５ｍｍ、巾１２０ｍｍ、長さ３５０ｍｍのものを、巾寸法の中心から２５ｍｍの切り欠きを行い、その切り欠きを上方向に寸法の１/２の長さまで行った。
【００２３】
脚部２の厚み２５ｍｍ、巾１２０ｍｍ、長さ３５０ｍｍのものを、巾寸法の中心から２５ｍｍの切り欠きを行い、その切り欠きを下方向に寸法の１/２の長さまで行った。図３は1-Ｂを下に置き、1-Ａを上から脚部組合せ図３のように組み合わせた。
図４のすのこを、すのこ受け桟の上に４枚乗せて完成である。
杉材を使用していたので、商品供給価格の低減が出来ると共に、杉材の有効利用が出来た。
【実施例３】
【００２４】
簡易木製（杉）組立式ベッドにおいて、子供用のベッドを巾寸法１０２０ｍｍで長さ寸法を１５３０ｍｍにて作製し、すのこを３枚取り付けた。また、巾寸法を１２５０ｍｍ（セミダブル）、１４５０ｍｍ（ダブル）で長さ寸法２０３０ｍｍで作製し、すのこを４枚取り付けた。すのこの長さ寸法を１２００ｍｍ（セミダブル）、１４００ｍｍ（ダブル）とした。消費者指向にマッチしたベッドの大きさとした。
【実施例４】
【００２５】
実施例１と同様に簡易組立式ベットを製作して、すのこの上部に畳の変わりに茣蓙を敷き詰めた。効果においては簡単に敷物を取り外しができた。
「比較例１」
【００２６】
簡易組立式ベッドとしては、ボルト、ナットによる組立が多く、強度確保のために
細部に付属品の取り付けが施されている。又、重量的にも重く、表面に塗装がしてあり、環境面においても不都合である。
鉄製のハンガーパイプ製においても軽量であるが設置場所においても、調和が取れない場合が発生する。
床面との隙間が狭くゴミが堆積しやすく掃除がしにくい。
【符号の説明】
【００２７】
１．脚部（横材）
２．脚部（縦材）
３．縦部つなぎ材
４．横部つなぎ材
５．すのこ
６．横桟すのこ受け材
７．縦桟すのこ受け材
８．ダボ材挿入穴
９．ダボ材
１０．釘
１１．ダボ材
１２．丸釘
１３．すのこ天板材
１４.すのこ天板受け材
１５．畳
【図１】
0003153027.tif 000003
【図２】
0003153027.tif 000004
【図３】
0003153027.tif 000005
【図４】
0003153027.tif 000006
【図５】
0003153027.tif 000007
【図６】
0003153027.tif 000008